(57)【要約】【課題】水洗作業時の水はねによるシンクの前縁部上面の水たまりを防止する水たまり防止材であって、コストもかからず、既設のシンクにも取り付け可能な水たまり防止材を提供する。【解決手段】台所等に設置されるシンクにおいて、水洗作業時の水はねによるシンクの前縁部上面１ａの水たまりを防止する水たまり防止材２であって、シンク前縁部上面１ａに着脱可能な磁石５を備える。水たまり防止材２は、磁石５を下面に備える支持本体３と、シンク前縁部１の内側面１ｂの少なくとも一部と支持本体３の上面とシンク前縁部１の外側面１ｃの少なくとも一部とをカバーするシート状防水部材４とから構成される。【選択図】図３
2009052248.tif 000002
【特許請求の範囲】
【請求項１】
台所等に設置されるシンクにおいて、水洗作業時の水はねによる前記シンクの前縁部上面の水たまりを防止する水たまり防止材であって、前記シンク前縁部上面に着脱可能な着脱手段を備える水たまり防止材。
【請求項２】
前記着脱手段は前記シンク前縁部上面に着脱可能な磁石であることを特徴とする請求項１に記載の水たまり防止材。
【請求項３】
前記磁石を下面に備える支持本体と、
前記シンク前縁部の内側面の少なくとも一部と前記支持本体の上面と前記シンク前縁部の外側面の少なくとも一部とをカバーするシート状防水部材とから構成されることを特徴とする請求項１または２に記載の水たまり防止材。
【請求項４】
前記支持本体の上面は、前記シンク前縁部の外側面側から内側面側にかけて低くなるように傾斜していることを特徴とする請求項３に記載の水たまり防止材。
【発明の詳細な説明】
【技術分野】
【０００１】
本発明は、台所等に設置されるシンクにおいて、水洗作業時の水はねによるシンクの前縁部上面の水たまりを防止する水たまり防止材に関するものである。
【背景技術】
【０００２】
台所等に設置されるシンクにおいて、食器や食材を洗う場合に水はねが生じ、床や作業者の衣服を濡らしてしまうという問題がある。また、長時間の水洗作業時には、作業者はシンク前縁部に寄りかかりながら作業を行なうことがあり、水はねによって生じたシンク前縁部上面の水たまりの水が染みて衣服を濡らしてしまっていた。そのため、作業者はゴム製のエプロン等を着用することで水はねと水たまりによる衣服の水濡れを防止しているが、ゴム製のエプロンは重く、通気性が悪く暑いなどの問題があった。
【０００３】
水洗作業時の水はねを防止するものとして、下記特許文献１のようなキッチンシンクが知られている。このキッチンシンクは、キッチンシンクの前縁部に、シンクのカウンタートップから上方に突出するように水はね防止板が、カウンタートップと一体に成形されている。このような水はね防止板によって水はねを防止し、水洗作業者の水濡れを防止している。
【０００４】
【特許文献１】特開平１１−４２１３０号公報
【発明の開示】
【発明が解決しようとする課題】
【０００５】
しかしながら、このような水はね防止板は、シンクのカウンタートップと一体成形されるので、コストがかかるだけでなく、すでに設置されたシンクについては、シンクごと取り替えなければならないという問題がある。
【０００６】
本発明は上記実情に鑑みてなされたものであり、その課題は、水洗作業時の水はねによるシンクの前縁部上面の水たまりを防止する水たまり防止材であって、コストもかからず、既設のシンクにも取り付け可能な水たまり防止材を提供することである。
【課題を解決するための手段】
【０００７】
上記課題を解決するため本発明に係る水たまり防止材は、
台所等に設置されるシンクにおいて、水洗作業時の水はねによる前記シンクの前縁部上面の水たまりを防止する水たまり防止材であって、前記シンク前縁部上面に着脱可能な着脱手段を備えることを特徴とする。
【０００８】
かかる構成による水たまり防止材の作用・効果を説明する。水洗作業時の水はねによって、シンクの前縁部上面には水たまりが生じるが、シンク前縁部上面に着脱可能な着脱手段を備える水たまり防止材をシンク前縁部上面に取り付けることで、シンク前縁部上面の水たまりを防止することができる。また、着脱手段を備えることで、既設のシンクにも取り付け可能である。かかる構成による水たまり防止材は、シンクと一体に成形されるものに比べコストもかからない。
【０００９】
本発明に係る水たまり防止材において、前記着脱手段は前記シンク前縁部上面に着脱可能な磁石であることが好ましい。
【００１０】
金属製のシンクに対して、磁石によってシンク前縁部上面に着脱可能に構成することで、水たまり防止材は既設のシンクにも容易に取り付け可能である。
【００１１】
本発明に係る水たまり防止材において、
前記磁石を下面に備える支持本体と、
前記シンク前縁部の内側面の少なくとも一部と前記支持本体の上面と前記シンク前縁部の外側面の少なくとも一部とをカバーするシート状防水部材とから構成されることが好ましい。
【００１２】
水たまり防止材は、主として支持本体とシート状防水部材とで構成される。支持部材は、着脱手段である磁石を下面に備えており、支持部材は金属製のシンクに着脱可能である。また、シート状防水部材が、シンク前縁部の内側面の少なくとも一部と支持本体の上面とシンク前縁部の外側面の少なくとも一部とをカバーしており、水はねした水がシート状防水部材に付着しても、シート状防水部材を伝ってシンク内に流れ落ちる。このような水たまり防止材がシンク前縁部上面を覆っているので、シンク前縁部上面に水たまりが生じることはない。
【００１３】
本発明に係る水たまり防止材において、前記支持本体の上面は、前記シンク前縁部の外側面側から内側面側にかけて低くなるように傾斜していることが好ましい。
【００１４】
支持本体の上面が、シンク前縁部の外側面側から内側面側にかけて低くなるように傾斜していることで、水はねした水が水たまり防止材の上面に付着したとしても、シート状防水部材を伝ってシンク内に流れ落ちやすい。そのため、水たまり防止材は、シンク前縁部上面の水たまりを防止することができると同時に、水たまり防止材自身の上面の水たまりも防止することができる。
【発明を実施するための最良の形態】
【００１５】
本発明に係る水たまり防止材の好適な実施形態を図面を用いて説明する。図１は、台所等に設置されるシンクを示す図である。図１のように、食器や食材を洗う場合には水はねが生じ、この水はねした水がシンク前縁部１の上面１ａに水たまりを生じさせる。本発明に係る水たまり防止材は、このようなシンク前縁部上面１ａの水たまりを防止するものである。
【００１６】
図２は、本実施形態に係る水たまり防止材の構成を示す図である。図３は、水たまり防止材をシンク前縁部１の上面１ａに取り付けた様子を示しており、図３（ａ）は全体を示す斜視図、図３（ｂ）は断面図である。水たまり防止材２は、主として、支持本体３とシート状防水部材４から構成されている。図２（ａ）は支持本体３のみの構成を示し、図２（ｂ）は支持本体３とシート状防水部材４が組み合わされた状態を示している。
【００１７】
支持本体３は、取付部材３ａと上面部材３ｂとから構成される。取付部材３ａは、矩形断面の長板形状をしており、幅はシンク前縁部上面１ａの幅と同じほどであり、長さは人間の腰の幅と同じ約３０〜４０ｃｍである。なお、取付部材３ａの幅と長さは適宜選択可能である。取付部材３ａは樹脂製であって、軽く、仮に水に濡れても錆が発生しないようになっている。取付部材３ａの下面には、シンク前縁部上面１ａへの着脱手段としての磁石５を備える。磁石５は、取付部材３ａの下面の長尺方向の全域に渡って設けてもよいし、一部のみでもよく、また、1個でも、複数であってもよい。
【００１８】
支持本体３を構成する上面部材３ｂは、板状の部材を折り曲げ、その両端縁が取付部材３ａの両端縁と接着剤等により接合される。上面部材３ｂと取付部材３ａとで構成された支持本体３は、その断面形状がほぼ直角三角形となっている。上面部材３ｂも取付部材３ａと同様に樹脂製であるが、上面部材３ｂと取付部材３ａは同種の樹脂でも別種の樹脂でもよい。なお、上面部材３ｂは弾性を有する樹脂であるほうが、作業者がシンク前縁部１に寄りかかりながら作業を行なう場合等にも痛くないので好ましい。
【００１９】
シート状防水部材４は、支持本体３の上面を完全に覆い、支持本体３の両側から突出するように構成される。すなわち、図３（ｂ）に示すように、シート状防水部材４は、水たまり防止材２をシンク前縁部上面１ａに取り付けた際に、シンク前縁部１の内側面１ｂの少なくとも一部と支持本体３の上面とシンク前縁部１の外側面１ｃの少なくとも一部とをカバーするようになっている。シート状防水部材４はゴム製であって、厚さ約１ｍｍのシート状をしている。シート状防水部材４の幅と長さは、支持本体３の幅やシンクのサイズにより適宜変更可能である。なお、支持本体３とシート状防水部材４との間は、面ファスナーにより固定する。面ファスナーによって固定することで取り外しが可能となり、分解掃除が容易となる。
【００２０】
水たまり防止材２をこのように構成することで、水はねした水がシート状防水部材４に付着しても、シート状防水部材４を伝ってシンク内に流れ落ちる。また、支持本体３の断面形状はほぼ直角三角形となっており、シンク前縁部１の外側面１ｃ側から内側面１ｂ側にかけて低くなるように傾斜していることで、水はねした水が水たまり防止材２の上面に付着したとしても、シート状防水部材４を伝ってシンク内に流れ落ちやすい。したがって、このような水たまり防止材２がシンク前縁部上面１ａを覆っているので、シンク前縁部上面１ａの水たまりを防止することができると同時に、水たまり防止材２自身の上面の水たまりも防止することができる。
【００２１】
＜別実施形態＞
本実施形態では、支持本体３は、取付部材３ａと上面部材３ｂとを組み合わせて構成しているが、一体成形としてもよい。
【００２２】
また、本実施形態では、支持本体３の断面形状は、ほぼ直角三角形となっているが、シンク前縁部１の内側面１ｂと外側面１ｃに平行な面を有する台形としてもよい。
【００２３】
本実施形態では、シンク前縁部上面１ａへの着脱手段として磁石５を用いているが、シンク前縁部１を挟み込むクリップ等を用いてもよい。また、取付部材３ａ自体の形状をコの字形に構成し、シンク前縁部１を挟み込んで着脱可能に構成してもよい。これらの構成によれば、金属製以外の磁石５では固定できないシンクについても水たまり防止材２を着脱可能に構成することができる。
【００２４】
本実施形態では、シート状防水部材４はゴム製シートを用いているが、可撓性のある樹脂シート、熱可塑性エラストマーシート等を用いてもよい。また、支持本体３とシート状防水部材４との間は、面ファスナーにより固定せずに、接着剤等により固定してもよい。
【図面の簡単な説明】
【００２５】
【図１】台所等に設置されるシンクを示す図
【図２】水たまり防止材の構成を示す図
【図３】水たまり防止材をシンク前縁部上面に取り付けた図
【符号の説明】
【００２６】
１    シンク前縁部
１ａ  シンク前縁部上面
１ｂ  内側面
１ｃ  外側面
２    水たまり防止材
３    支持本体
３ａ  取付部材
３ｂ  上面部材
４    シート状防水部材
５    磁石
【図１】
2009052248.tif 000003
【図２】
2009052248.tif 000004
【図３】
2009052248.tif 000005